(57)【要約】【課題】電気炊飯器の省エネ性能を向上させる。【解決手段】内鍋と、内鍋を加熱する内鍋加熱手段と、マイコンによる炊飯器制御手段とを備え、炊飯器制御手段は、通常時にはＡＣ電源、停電時にはバックアップ電源により作動して炊飯器の制御を行うようにしてなる電気炊飯器であって、待機状態ではＡＣ電源から炊飯器制御手段への電源の供給を遮断して、バックアップ電源からの電源のみを供給するようにし、待機状態における電力消費を低減した。【選択図】        図３
2011206120.tif 000002
【特許請求の範囲】
【請求項１】
内鍋と、内鍋を加熱する内鍋加熱手段と、マイコンによる炊飯器制御手段とを備え、炊飯器制御手段は、通常時にはＡＣ電源、停電時にはバックアップ電源により作動して炊飯器の制御を行うようにしてなる電気炊飯器であって、待機状態ではＡＣ電源から炊飯器制御手段への電源の供給を遮断し、バックアップ電源からの電源のみを供給するようにしたことを特徴とする電気炊飯器。
【請求項２】
バックアップ電源は、固定電池よりなる第１のバックアップ電源とＡＣ電源からの充電が可能な第２のバックアップ電源との少なくとも２組の電源からなり、第２のバックアップ電源は、その電源電圧が所定の値以下に低下した時にＡＣ電源から自動的に充電されるようになっていることを特徴とする請求項１記載の電気炊飯器。
【請求項３】
内鍋と、内鍋を加熱する内鍋加熱手段と、所定の動作電源からの電源電流により検出作動する所定のセンサと、マイコンによる炊飯器制御手段とを備え、上記炊飯器制御手段は、上記所定のセンサの検出値に基いて炊飯器の制御を行うようにしてなる電気炊飯器であって、上記所定のセンサには、検出が必要な時にのみ上記所定の動作電源からの電源電流が供給されるようにしたことを特徴とする電気炊飯器。
【発明の詳細な説明】
【技術分野】
【０００１】
本願発明は、待機時等の省エネ性能を向上させた電気炊飯器の構成に関するものである。
【背景技術】
【０００２】
最近のマイコン制御式の電気炊飯器では、高い加熱出力で効率良く炊飯を行ない、炊飯が完了すると、自動的に保温工程に移行し、ユーザーにより保温取消スイッチが押されるか又は予じめ設定された保温設定時間が経過するまでの間は、ご飯の温度が予じめ設定した所望の保温温度に維持されるように、ご飯の温度を検出しながら保温ヒータ等保温加熱手段の加熱量を適切に制御するようになっている（特許文献１参照）。
【先行技術文献】
【特許文献】
【０００３】
【特許文献１】特開２０００−１４５４１号公報（明細書第１−１０頁、図１−１１）
【発明の概要】
【発明が解決しようとする課題】
【０００４】
ところが、同従来の電気炊飯器の場合、タイマー予約中を含めて、炊飯スイッチがＯＮになり、実際に炊飯が開始されるまでの待機時間内にも、その電源回路、制御回路のすべてにＡＣ電源からの動作電源が供給されており、そのために相当の電力が無駄に消費されている。
【０００５】
また、同従来の電気炊飯器では、例えば内鍋の温度を検出する底センサ、ＩＧＢＴ付近の温度を検出する基板センサ、室温を検出する室温センサ、内鍋内上部の温度を検出する蓋センサ等それぞれサーミスタよりなる複数の温度検知センサが設けられており、これら複数の温度検知センサには、例えば図６の回路図に示すように、Ｖｃｃ電源から電流調整抵抗Ｒ１〜Ｒ４を介して、待機状態を含めて常時動作電流が流されており、同電流により検出作動することによって、制御マイコン４０の温度判定部に検出温度が入力されるようになっており、これらの電流による消費電力もむだな待機電力のひとつである。
【０００６】
また、本来これらの温度検知センサは、仮に炊飯又は保温状態であっても温度検知が必要な時にのみ作動させれば足りるものである。したがって、待機時以外でも消費電力が無駄になっている。
【０００７】
本願発明は、このような事情に基いてなされたもので、待機状態ではＡＣ電源からの電源の供給を遮断し、バックアップ電源からの電源のみを供給するようにすることによって、また温度センサ等所定のセンサには、検出が必要な時にのみ動作電源からの電源電流が供給されるようにすることによって、それぞれ必要な時以外にはＡＣ電源の電力を消費させないようにし、可及的に消費電力を低減できるようにした電気炊飯器を提供することを目的とするものである。
【課題を解決するための手段】
【０００８】
本願各発明は、上記の目的を達成するために、それぞれ次のような課題解決手段を備えて構成されている。
【０００９】
（１）  請求項１記載の発明
内鍋と、内鍋を加熱する内鍋加熱手段と、マイコンによる炊飯器制御手段とを備え、炊飯器制御手段は、通常時にはＡＣ電源、停電時にはバックアップ電源により作動して炊飯器の制御を行うようにしてなる電気炊飯器であって、待機状態ではＡＣ電源から炊飯器制御手段への電源の供給を遮断し、バックアップ電源からの電源のみを供給するようにしたことを特徴としている。
【００１０】
このような構成によると、上述した待機状態における無駄な消費電力を略ゼロレベルに低減することができるようになり、きわめて省エネ効果の高いものとなる。
【００１１】
しかも、同省エネ待機中においても、バックアップ電源により、最低減のマイコンによる制御機能は維持させることができるので、タイマー予約中の場合の省エネも可能となる。
【００１２】
（２）  請求項２記載の発明
この発明の電気炊飯器は、上記請求項１記載の発明の課題解決手段の構成において、バックアップ電源は、固定電池よりなる第１のバックアップ電源とＡＣ電源からの充電が可能な第２のバックアップ電源との少なくとも２組の電源からなり、第２のバックアップ電源は、その電源電圧が所定の値以下に低下した時にＡＣ電源から自動的に充電されるようになっていることを特徴としている。
【００１３】
このような構成によると、固定電池よりなる本来のバックアップ電源の長寿命化に加え、待機時および停電時におけるマイコン動作電源の確実な確保、バックアップが可能となり、マイコン制御動作の信頼性が向上する。
【００１４】
（３）  請求項３記載の発明
この発明の電気炊飯器は、内鍋と、内鍋を加熱する内鍋加熱手段と、所定の動作電源からの電源電流により検出作動する所定のセンサと、マイコンによる炊飯器制御手段とを備え、上記炊飯器制御手段は、上記所定のセンサの検出値に基いて炊飯器の制御を行うようにしてなる電気炊飯器であって、上記所定のセンサには、検出が必要な時にのみ上記所定の動作電源からの電源電流が供給されるようにしたことを特徴としている。
【００１５】
このような構成によると、例えば温度センサの温度検出値の読み込みが必要な時（または期間）にのみ必要なセンサに必要な電源電流を流して温度検出値を読み込ませれば足りるから、待機時はもちろん、炊飯又は保温中においても、不要な消費電力を低減できるようになり、省エネ効果を一層向上させることができる。
【発明の効果】
【００１６】
以上の結果、本願発明によると、従来に比べて、待機時並びに炊飯時の省エネ性能が高い電気炊飯器を低コストに提供することが可能となる。
【図面の簡単な説明】
【００１７】
【図１】本願発明の実施の形態１に係る電気炊飯器の炊飯器全体の構成を示す縦断面図である。
【図２】同電気炊飯器の制御回路部分の構成を示すブロック図である。
【図３】同電気炊飯器の待機電力低減回路の構成を示す電気回路図である。
【図４】本願発明の実施の形態２に係る電気炊飯器の温度検出回路部分の構成を示す電気回路図である。
【図５】本願発明の実施の形態３に係る電気炊飯器のＬＥＤ表示部を備えた操作パネル部分の構成を示す拡大正面図である。
【図６】従来の電気炊飯器の温度検出回路部分の構成を示す電気回路図である。
【発明を実施するための形態】
【００１８】
＜実施の形態１＞
図１〜図３は、本願発明の実施の形態１に係る電気炊飯器の炊飯器本体および要部の構成を示している。
【００１９】
（全体の構成）
この電気炊飯器１は、例えば内鍋（飯器ないし保温容器）３として非金属材料からなる蓄熱性の良い鍋（例えば、セラミック製の土鍋）が一例として採用されており、その底壁部３ａの底部中央面（フラット面部）および該底壁部３ａ外周の湾曲面部（Ｒ面部）には、それぞれ内部に誘起されるうず電流によって自己発熱が可能な例えば銀ペースト等の金属製の第１，第２の誘導発熱体Ｇ１，Ｇ２が設けられている。
【００２０】
そして、この電気炊飯器１は、同構成の内鍋３と、該内鍋３を任意に収納セットし得るように形成された下部側合成樹脂製の皿状の底壁部４ａおよび上部側筒状の側壁部４ｂよりなる内ケース（保護枠）４と、該内ケース４を保持する外部筺体である有底筒状の外ケース５と、該外ケース５の下部に一体に嵌合された底ケース１３と、上記外ケース５と上記内ケース４とを肩部１０により一体化して形成された炊飯器本体の上部に開閉可能に設けられた蓋ユニット（蓋体）２とから構成されている。
【００２１】
外ケース５の前面部上方には、操作パネル部２０が設けられている。そして、該操作パネル部２０面には、例えば図１、図２、図５に示すように、大きな表示面積をもつ液晶表示部２１と炊飯スイッチ２２ａ、保温スイッチ２２ｂ、タイマー予約スイッチ２２ｃ、取消スイッチ２２ｄ、時指定スイッチ２２ｅ、分指定スイッチ２２ｆ、メニュー選択スイッチ２２ｇ等の各種入力スイッチ（タッチキースイッチ）が設けられている。
【００２２】
また、炊飯スイッチ２２ａ、保温スイッチ２２ｂ、タイマー予約スイッチ２２ｃには、それぞれ同スイッチ２２ａ，２２ｂ，２２ｃのＯＮ操作状態を示す表示用ＬＥＤ２３ａ，２３ｂ，２３ｃが設けられている。
【００２３】
また、該操作パネル部２０の内側部分（裏側空間）には、内ケース４側壁部４ｂの前側に設けられた制御基板Ｂ１の上端位置から斜め前方に下降する格好で、マイコン基板Ｂ２がマイコン基板カバー１８を介して傾斜設置されている。
【００２４】
このマイコン基板Ｂ２上の外気に開放された所定の位置には、室内の温度を検出する室温センサＳ３が設けられている。
【００２５】
一方、内ケース４の底壁部４ａの下方側には、フェライトコア収納部を備えたコイルカバー（コイル台）６が設けられ、その下部にはフェライトコア（符号省略）を配置し、またそれらの間には、上記内鍋３の底壁部３ａの中央部側フラット面部と外周部側湾曲面部の上記第１，第２の２組の誘導発熱体Ｇ１，Ｇ２位置に対応して各々リッツ線が同心状に巻成された第１，第２の２組のワークコイルＣ１，Ｃ２が設けられており、それらへの通電時には上記内鍋３の上記第１，第２の誘導発熱体Ｇ１，Ｇ２にうず電流を誘起して、上記内鍋３を効率良く加熱するようになっている。
【００２６】
上記内ケース４（側壁部４ｂ）の前方部側には、上記のようにワークコイルＣ１，Ｃ２、保温ヒータＨ１等を駆動制御するＩＧＢＴやヒータ駆動回路、電源電圧整流用のダイオードブリッジよりなる整流回路、平滑回路などを備えた制御基板Ｂ１および制御基板カバー７が上下方向に立設する状態で設けられている。
【００２７】
この制御基板Ｂ１には、ＩＧＢＴの側に隣接する形で、同部分の温度検出する基板センサＳ２が設けられている。
【００２８】
上記内ケース４の皿状の底壁部４ａは、その底面部の中央部に内鍋３の底部３ａの温度を検知するサーミスタを内装した底センサーＳ１のセンサー部嵌合口が形成されているとともに、同センサー部嵌合口の外周側上面にはドーナツ状の遮熱板８が設けられている。また、外周側湾曲面部の上端側には、所定幅半径方向外方に張り出したフランジ状の段部９が設けられ、この段部９部分に上記上部側筒状の側壁部４ｂの下端側が係合載置されている。
【００２９】
他方、同上部側筒状の側壁部４ｂの上端は、図示しない内枠部材を介して上記炊飯器本体側外ケース５上端の肩部材１０側に連結して固定されている。
【００３０】
また、上記内ケース４の上部側筒状の側壁部４ｂの外周には、炊飯および保温時において加熱手段として機能する側面ヒータＨ１が設けられており、炊飯時および保温時において上記内鍋３の全周を有効かつ均一に加熱するようになっている。
【００３１】
なお、符号１２，１２・・・は、上記外ケース５の底部側に嵌合一体化された底ケース１３の前部部分にグリル状に設けられた冷却ファン１１用の空気吸込口である。
【００３２】
（蓋ユニットの構成）
さらに符号２は上記蓋ユニットであり、該蓋ユニット２は、その外周面を構成するとともに中央部に調圧ユニット１４を備えた合成樹脂製の外カバー２ａと、該外カバー２ａの外周部内側に嵌合一体化して設けられた合成樹脂製の内枠２ｂと、該内枠２ｂの内側開口部内に嵌合された金属製の放熱板２ｃと、放熱板２ｃの上面に設けられた蓋ヒータＨ２と、上記放熱板２ｃの下方に設けられた金属製の内蓋２ｄとを備えて構成されている。また、放熱板２ｃの外周縁部下方および内蓋２ｄの外周縁部下方には、それぞれパッキン１９ａ，１９ｂが設けられており、内蓋２ｄは、同パッキン１９ｂを介して内鍋３の開口縁部３ｃの上面部に接触させられている。また、１４ｄは、上記外カバー２ａの調圧口２ｅに嵌合された調圧パイプ１４ａ内の調圧弁（球体）、１４ｃはその下部側の弁口部を有する弁座プレート、１４ｂは調圧パイプ１４ａの下方側に拡大された開口部に嵌合された調圧キャップである。
【００３３】
この蓋ユニット２は、図示しない上記外ケース５上部の後端側で肩部材１０に対してヒンジ機構を介して回動自在に取付けられており、その開放端側には、該蓋ユニット２の前端側所定位置に係合して該蓋ユニット２の上下方向への開閉を行うロック機構１７が設けられている。
【００３４】
また、符号Ｓ４は、上記内鍋３内の温度および沸騰状態を検知する蓋センサ（蒸気センサ）であり、この蓋センサＳ４は上記内蓋２ｄの開口部に蒸気通路１６ｅを有した蒸気パイプ１６ｃを嵌合するとともに、同蒸気パイプ１６ｃ内の蒸気通路１６ｅ内に上方側放熱板２ｃ側に取付ホルダー１６ａおよび１６ｄを介して取り付けられているサーミスタ１６ｂの先端を挿入する形で設けられている。この場合、同サーミスタ１６ｂは、図示のように上方から下方に向けて長く延びる軸体状のものよりなり、その先端側センサ部（温度検知部）が、上記内鍋３の開口縁部３ｃよりも内側に臨んで（侵入する形で）設けられている。
【００３５】
そして、それにより内鍋３内の上部の温度上昇を蒸気の発生前の段階から極めて精度良く検出するようになっている。
【００３６】
（制御回路部分の構成）
次に図２は、上述のように構成された炊飯器本体の炊飯および保温制御を行う制御回路部分の構成を示す。
【００３７】
この制御回路には、上述した第１，第２のワークコイルＣ１，Ｃ２および保温ヒータＨ１、蓋ヒータＨ２等の出力を制御する出力制御用のマイコン制御ユニット４０を中心として、ＡＣ電源３０側からの電源回路部に待機電力低減回路（その詳細な構成については、図３を参照）３２、整流平滑回路３５ａ，３５ｂ、第１，第２のワークコイルＣ１，Ｃ２、ＩＧＢＴ、チョークコイル、共振回路よりなるＩＨ回路３７、ＤＣ２０Ｖ電源３６、各種センサＳ１〜Ｓ４を用いた温度検出回路（その詳細な構成については、図４を参照）３８、入力電圧検出回路３９、マイコン電源回路４１、ＩＧＢＴ駆動回路４２、入力電流検出回路４３、電源電圧のゼロクロス検出回路４４、リセット回路４８、保温ヒータ駆動回路３３、蓋ヒータ駆動回路３４、冷却ファン１１のファンモータＦＭ駆動回路２６、メインクロック信号発生回路４５、ＥＥＰＲＯＭ４６等がそれぞれ設けられており、それらが各々図示のように制御マイコン４０に対して接続されている。
【００３８】
また、同制御マイコン４０には、さらに操作基板Ｂ２側の液晶表示部２１、炊飯又は保温、タイマー予約、予約時刻設定、白米又は玄米もしくは雑穀米、早炊き、おかゆ、すしめし、炊き込み等の炊き分け、通常モード又は省エネモードその他各種の炊飯又は保温機能の選択設定を行う入力スイッチ２２ａ〜２２ｇ、炊飯、予約、保温等の表示用ＬＥＤ２３ａ〜２３ｃが、それぞれ制御マイコン４０に接続されている。
【００３９】
（待機電力低減回路の構成）
次に図３は、上記待機電力低減回路３２の詳細な構成を示している。
【００４０】
図中、符号４０は上述の制御マイコン、符号３０は上述のＡＣ電源であり、これらの間に、図示のような電磁リレーＲと、該電磁リレーＲの励磁コイルＲＬをＯＮ，ＯＦＦ駆動するスイッチングトランジスタＱと、ＡＣ電源３０から上述のＩＨ回路３７およびＤＣ電源回路３６への電源ライン３０ａの途中に介設された電磁リレーＲＬのリレー接点ＲＳと、電源ライン３０ａからのＡＣ電源電圧を所望の電圧（例えば２０Ｖ）のＤＣ電源電圧に変換するＡＣ／ＤＣコンバータ３２ａと、該ＡＣ／ＤＣコンバータ３２ａで変換されたＤＣ電源電圧を上記制御マイコン４０に動作電源として供給する逆流防止ダイオードＤ１と、該逆流防止ダイオードＤ１と上記制御マイコン４０との間のＤＣ電源ライン３０ｂに逆流防止ダイオードＤ２を介してＤＣ電源電圧を印加する第１のバックアップ電源（リチウム固定電池）ＬＢと、上記ＤＣ電源ライン３０ｂにＡＣ／ＤＣコンバータ３２ａを介して供給されるＤＣ電源電圧が印加されている時に所定の値の電流制限抵抗Ｒを介してバックアップ用のＤＣ電源電圧をチャージする電気二重層コンデンサよりなる第２のバックアップ電源ＣＯとからなっており、上記電気二重層コンデンサよりなる第２のバックアップ電源ＣＯの電源電圧値（保持電圧値）Ｖは、上記制御マイコン４０の電圧判定部に入力されて、常時その電圧値Ｖの値が監視されるようになっている。
【００４１】
一方、上記制御マイコン４０は、当該電気炊飯器の炊飯又は保温状態の判定機能を有し、当該電気炊飯器が炊飯又は保温動作状態にない待機状態の場合には、上記スイッチングトランジスタＱを強制的にＯＦＦ作動させて、上記電磁リレーＲのリレーコイルＲＬを励磁せず、対応するリレー接点ＲＳを開放状態に維持することによって、ＩＨ回路３７への電源ライン３０ａ、制御マイコン４０へのＤＣ電源ライン３０ｂの何れへの電源もＯＦＦし、可能な限りの待機電力の低減を図る。
【００４２】
そして、この待機電力低減状態では、次のようにして必要な電源電圧が維持される第２のバックアップ電源ＣＯを中心として制御マイコン４０の動作電源が確保される。
【００４３】
すなわち、上記制御マイコン４０の電圧判定部には、上記のように電気二重層コンデンサよりなる第２のバックアップ電源ＣＯの端子電圧Ｖが入力されるようになっており、同電圧Ｖの値が所定の設定電圧値よりも低下すると、制御マイコン４０は、上記スイッチングトランジスタＱをＯＮ作動させることにより、電磁リレーＲのリレーコイルＲＬを励磁し、対応するリレー接点ＲＳを閉じて、ＡＣ／ＤＣコンバータ３２ａ、逆流防止ダイオードＤ１、電流制限抵抗Ｒを介して同電気二重層コンデンサよりなる第２のバックアップ電源ＣＯに必要な電源電圧をチャージする。そして、同チャージによって、同電気二重層コンデンサよりなる第２のバックアップ電源ＣＯの端子電圧値が所定の設定電圧値になると、上記制御マイコン４０は上記スイッチングトランジスタＱをＯＦＦ作動させて電磁リレーＲのリレーコイルＲＬの励磁を停止し、対応するリレー接点ＲＳを開放する。この結果、ＡＣ／ＤＣコンバータ３２ａを介した第２のバックアップ電源ＣＯへのチャージ作用は停止される。
【００４４】
そして、それ以降は、再び当該電気二重層コンデンサよりなる第２のバックアップ電源ＣＯから逆流防止ダイオードＤ３を介して上記ＤＣ電源ライン３０ｂにＤＣ電源を供給するようになり、同第２のバックアップ電源ＣＯを上記第１のバックアップ電源ＬＢとともに有効なバックアップ電源として、制御マイコン４０は制御動作することができる。
【００４５】
このため、同構成では、停電時であって電気二重層コンデンサよりなる第２のバックアップ電源ＣＯの端子電圧Ｖが固定電池よりなる第１のバックアップ電源ＬＢの端子電圧よりも低い時以外には、同高価なリチウム電池等よりなる第１のバックアップ電源ＬＢの電源を消費しなくても良くなり、同第１のバックアップ電源ＬＢの寿命が大きく延長される。
【００４６】
また同構成では、仮に第１のバックアップ電源ＬＢが故障したり、電源電圧が低下してしまって交換しなければならなくなったような場合にも、電気二重層コンデンサよりなる充電可能な第２のバックアップ電源ＣＯが有効なバックアップ電源として機能し、確実な制御マイコン４０の動作機能が確保される。
【００４７】
したがって、制御機能の信頼性が大きく向上する。
【００４８】
＜実施の形態２＞
次に図４は、本願発明の実施の形態２に係る電気炊飯器の制御マイコンへの各種温度検知センサの出力取込回路部分の構成を示している。
【００４９】
上記実施の形態１の図１に示したように、一般に電気炊飯器では、底センサＳ１、基板センサＳ２、室温センサＳ３、蓋センサＳ４等それぞれサーミスタよりなる複数の温度検知センサが設けられており、従来は、これら複数の温度検知センサＳ１〜Ｓ４には例えば図６の回路に示すように、Ｖｃｃ電源から電流調整抵抗Ｒ１〜Ｒ４を介して、待機状態を含めて常時電流が流されており、これらの電流による消費電力もむだな待機電力のひとつとなっていた。
【００５０】
もちろん、上記実施の形態１の構成のように、これら複数の温度検知センサＳ１〜Ｓ４への電源回路を含むメインの電源回路を遮断することにより、待機電力を低減するようにすれば、これら複数の温度検知センサＳ１〜Ｓ４の待機電力も低減される。
【００５１】
しかし、何らかの事情でメインの電源回路を遮断できない場合もあり、そのような場合には、個別に低減することも必要となる。
【００５２】
また、本来これらの温度検知センサＳ１〜Ｓ４は、仮に炊飯又は保温状態であっても温度検知が必要な時にのみ作動させれば足りるものである。
【００５３】
この実施の形態は、そのような観点から構成されたものであり、図６に示した従来の温度検知回路のＶｃｃ電源と各温度検知センサＳ１〜Ｓ４側電流調整抵抗Ｒ１〜Ｒ４との間に各々スイッチングトランジスタ（ＰＮＰ型）Ｑ１〜Ｑ４を設け、温度検出出力を入力させるに際して各センサ毎のチャンネル選択を可能として、それぞれのチャンネルにおいて温度検出値の読み込みが必要な時（または期間）にのみ、対応する必要なセンサに必要な電源電流を流して温度検出を行わせ、その検出値を読み込むようにしたものである（ＡＮ検出）。
【００５４】
このような構成によると、待機時はもちろん、炊飯又は保温中においても、可能な限り不要な消費電力を低減できるようになるので、省エネ効果を一層向上させることができる。
【００５５】
＜実施の形態３＞
また前述の実施の形態１の電気炊飯器では、その外ケース５の前面部上方には、前述のように操作パネル部２０が設けられている。そして、該操作パネル部２０面には、例えば図５に示すように、広く大きな表示面積をもつ液晶パネル２１と炊飯スイッチ２２ａ、保温スイッチ２２ｂ、タイマー予約スイッチ２２ｃ、取消スイッチ２２ｄ、時指定スイッチ２２ｅ、分指定スイッチ２２ｆ、メニュー選択スイッチ２２ｇ等の各種入力スイッチ（タッチキースイッチ）が設けられている。
【００５６】
そして、それらの内の炊飯スイッチ２２ａ、保温スイッチ２２ｂ、予約スイッチ２２ｃには、それぞれ同スイッチ２２ａ，２２ｂ，２２ｃのＯＮ操作状態を示す表示用のＬＥＤ２３ａ，２３ｂ，２３ｃが設けられている。
【００５７】
これら表示用ＬＥＤ２３ａ，２３ｂ，２３ｃの内、例えばタイマー予約中であることを示すＬＥＤ２３ｃは、長時間点灯状態を継続するのが一般的であり、そのため消費電力も大きい。
【００５８】
そこで、同ＬＥＤ２３ｃについては、例えばタイマー予約後、所定時間以上何らかの操作がなされなかった場合には、その駆動電流を、例えば電流値３ｍＡ、デューティー比１／１（通常時の値）から、電流値３ｍＡ、デューティー比１／３に低減（暗く）して点灯させるようにし、消費電力を節減するようにする。
【００５９】
この場合、さらに高輝度のＬＥＤを採用するようにすると、そうでない場合に比べて一層デューティー比を小さくすることが可能である。
【００６０】
もちろん、上記炊飯用、保温用のＬＥＤ２３ａ，２３ｂについて、同様の構成を採用しても良い。
【符号の説明】
【００６１】
Ｃ１，Ｃ２はワークコイル、Ｈ１は保温ヒータ、Ｈ２は蓋ヒータ、５は外ケース、２は蓋ユニット、３は内鍋、２０は操作パネル、２１は液晶表示部、３７はＩＨ回路、４０は制御マイコン、Ｂ１は制御基板、Ｂ２はマイコン基板、Ｓ１は底センサ、Ｓ２は室温センサ、Ｓ３は基板センサ、Ｓ４は蓋センサ、ＬＢは第１のバックアップ電源、ＣＯは第２のバックアップ電源である。
【図１】
2011206120.tif 000003
【図２】
2011206120.tif 000004
【図３】
2011206120.tif 000005
【図４】
2011206120.tif 000006
【図５】
2011206120.tif 000007
【図６】
2011206120.tif 000008